(57)【特許請求の範囲】
【請求項１】
回路遮断器に機械的に相互接続され且つ前記回路遮断器をトリップさせて閉鎖を防止するロックアウト位置と回路遮断器が機能する非ロックアウト位置との間で切り替わるインタロック（１０）であって、
フレーム（１２）と、
前記フレーム（１２）により支持されたロックアウト作動器（４４）と、
前記フレーム（１２）により支持されたリセット作動器（４８）と、
前記フレーム（１２）により旋回可能に支持された前記ロックアウト作動器（４４）の移動に応答するロックアウトレバー（４６）及び前記ロックアウト作動器（４４）の移動に応答するロックアウトトリップロッド（４４）を含む、ラッチ組立体（４２）と、
前記リセット作動器（４８）の移動に応答し且つ前記フレーム（１２）により旋回可能に支持されると共に、自身の移動が無ければ前記ロックアウト作動器（４４）の移動を防止するように構成されたリセットレバー（５０）と、
を備え、
前記ロックアウトトリップロッド（５７）は、ロックアウト位置と非ロックアウト位置との間で移動するように構成され、
前記インタロック（１０）は、更に、リセットボタン（３８）の移動に応答する手動リセットレバー（１００）と、リセットレバーピン（１１６）とを備え、
前記リセットレバー（５０）は、前記リセット作動器（４８）に相互接続され且つ前記状態スイッチレバー（９９）に通電するためのフランジを有する脚部（９２）と、前記脚部（９２）から延びる足部（１０８）と、を含み、
前記足部（１０８）は、前記リセットレバーピン（１１６）を受け入れるアパーチャ（１１４）を有するヒール（１１０）と、歯部（１２４）を有するガイド部（１２２）を有するトウ（１１２）とを含み、
前記インタロック（１０）は、更に、前記リセットレバーピン（１１６）に取り付けられ且つ前記脚部（９２）更には前記インタロック（１０）を前記ロックアウト位置へ回転可能に付勢するバネ（１１８）を備える、インタロック。
【請求項２】
前記リセットレバー（５０）は、ロックアウト位置へ付勢され、前記ロックアウト作動器（４４）は、非ロックアウト位置へ付勢される、請求項１記載のインタロック。
【請求項３】
更に、
通電時に前記ロックアウト作動器（４４）を移動させるように構成されたロックアウトソレノイドコイル（５２）と、
通電時に前記リセット作動器（４８）を移動させるように構成されたリセットソレノイドコイル（５４）と、を備える、請求項１記載のインタロック。
【請求項４】
更に、
前記インタロック（１０）がロックアウト位置にあるかを監視及び提示するように構成された状態回路（１４２）を備える、請求項１に記載のインタロック。
【請求項５】
前記状態回路（１４２）は、前記ロックアウトソレノイドコイル（５２）の通電時に作動される状態スイッチ（９５）を含む、請求項４記載のインタロック。
【請求項６】
更に、
前記ロックアウトソレノイドコイル（５２）と直列であるロックアウトスイッチ（１３８）と、
前記リセットソレノイドコイル（５４）と直列であるリセットスイッチ（１４０）と、
前記ロックアウトスイッチ（１３８）と前記リセットスイッチ（１４０）との作動を制御するために回路内に接続されたプロセッサ（１３６）と、を備える、請求項５記載のインタロック。
【請求項７】
更に、ロックアウトレバーピン（８２）を備え、前記ロックアウトレバー（４６）は、
前記ロックアウト作動器（４４）に相互接続されたアーム部（６８）と、
前記アーム部（６８）から延びる作用部（７０）と、を含み、前記作用部（７０）は、
前記ロックアウトレバーピン（８２）を受け入れるアパーチャ（８０）を有するハブ部（７６）と、
自身から延びて前記リセットレバー（５０）の前記ガイド部と係合するように構成されたローラ（８４）を有する指部（７８）と、
を含み、
前記ローラ（８４）は、前記ロックアウト位置にある時、前記リセットレバー（５０）が移動されない限り、前記歯部（１２４）により、ロックアウトレバー（４６）を移動可能にするのを防止される、請求項１記載のインタロック。
【発明の詳細な説明】
【技術分野】
【０００１】
本明細書の開示内容は、配電システムに関し、特に、電気保護機器をロックアウトする装置に関する。
【背景技術】
【０００２】
配電システムにおいて、電力は、様々な負荷へ配電され、通常は、負荷へ電力を供給する分岐回路へ分割される。分岐回路は、例えば、電気設備の特定の一部品である負荷による使用のために、供給伝或を低下させる変圧器等の配電設備を含む。
【０００３】
故障等の異常な電力状態は、配電システムにおいて定期的に生じる。こうした故障は、システムに重大な損傷を引き起こしかねない。損傷を低減又は防止するために、回路保護機器を設けて様々な負荷と配電設備とを保護することが知られている。回路保護機器の一例は、故障時に高電流が負荷及び／又は配電設備を通過するのを防止するために利用される回路遮断器である。
【発明の概要】
【発明が解決しようとする課題】
【０００４】
更に、回路遮断器動作機構と相互作用する回路遮断器用ロックアウト機構を利用して、ロックアウト機構がリセットされるまで遮断器接点が閉鎖されるのを防止することが知られている。こうしたロックアウト機構は、更に、付勢されたプランジャを有するソレノイドを含み、ソレノイドの通電解除時にプランジャは即座に定位置へ戻る。こうしたロックアウト機構は、機構をリセットして回路遮断器の閉鎖を可能にするために、手動での介入を要するという欠点を有する。こうしたロックアウト機構は、更に、回路遮断器を所望のロックアウト状態に維持するために、ソレノイドの継続的な通電を要するという欠点も有する。こうした機構を組み込んだ保護システムを有する回路において、保護システム内での電力の喪失及び／又は連絡の喪失は、保護システムの遮断器におけるロックアウト状態の不要な変化を発生させる可能性がある。こうした変化は、電力の喪失及び／又は連絡の喪失の持続期間と、システム全体での電力の喪失及び／又は連絡の喪失の範囲とに関係なく発生する可能性がある。
【０００５】
したがって、従来技術の機器に関連する欠点及び悪影響を改善する、回路保護機器をロックアウトするための装置を提供することが望ましい。
【課題を解決するための手段】
【０００６】
本発明の実施形態によれば、インタロックは、回路遮断器と機械的に相互接続される。インタロックは、回路遮断器をトリップさせて閉鎖を防止するロックアウト位置と、回路遮断器が機能する非ロックアウト位置との間で切り替わる。インタロックは、フレームと、フレームにより支持されたロックアウト作動器と、同じくフレームにより支持されたリセット作動器と、ラッチ組立体とを備える。ラッチ組立体は、フレームにより旋回可能に支持されたロックアウト作動器の移動に応答するロックアウトレバーと、ロックアウト作動器の移動に応答するロックアウトトリップロッドとを含む。更に、リセット作動器の移動に応答し且つフレームにより旋回可能に支持されたリセットレバーが提供される。リセットレバーは、リセットレバーを移動しなければロックアウト作動器の移動を防止するように構成され、ロックアウトトリップロッドは、ロックアウト位置と非ロックアウト位置との間で移動するように構成される。
【図面の簡単な説明】
【０００７】
【図１】本発明の実施形態例によるインタロック装置の斜視図である。
【図２】ロックアウト位置にあるラッチ組立体を示す、図１の装置の背面図である。
【図３】リセット位置にあるラッチ組立体を示す、図１の装置の背面図である。
【図４】ロックアウト位置にあるラッチ組立体を示す、図１の装置の後方斜視図である。
【図５】リセット位置にあるラッチ組立体を示す、図１の装置の後方斜視図である。
【図６】図１のインタロック装置で使用可能な回路を示す回路図である。
【図７】ラッチ組立体及び状態スイッチを示す、図１の装置の別の後方斜視図である。
【発明を実施するための形態】
【０００８】
以下、添付図面を参照して、本発明を詳細に説明する。
【０００９】
本発明の一実施形態は、回路内での電力の喪失及び／又は連絡の喪失の際に、回路に対する損傷のリスクを低減する、回路保護用のインタロック装置に関する。
【００１０】
図１を参照すると、本発明の一実施形態によるインタロックは、全体として１０により図示されている。この実施形態において、インタロック１０は、フレーム１２と、取り付けクラスプ１４と、電力コネクタ１６と、インタロック状態コネクタ１８と、手動リセットボタン組立体２０とを備える。
【００１１】
フレーム１２は、高分子材料を含み得ると共に、同じく高分子材料を含み得る天板２２を備え得る。天板２２は、フレーム１２に嵌め込み得るＵ字形のスナップを備え得る。フレーム１２は、図２に示したように、ソレノイドブラケット（番号無し）に対してネジ２８により固定し得る。
【００１２】
取り付けクラスプ１４は、合金鋼を含み得ると共に、シャント装置又は電圧下装置取り付けに利用可能な標準スロットを使用して回路遮断器（図示無し）に取り付けるための公知の構造を備える。これにより、取り付けクラスプは、フレーム１２に取り付け得ると共に、フック部３０、３２と、バネ３４と、スプリット部３６とを備える。
【００１３】
電力コネクタ１６及び状態コネクタ１８は、それぞれ公知の構造を備え、図６を参照して以下に更に詳細に説明するように、ロックアウト回路を有する回路内に接続される。
【００１４】
手動リセットボタン組立体２０は、前板２４により適切な支持構造４０を介して支持され且つ以下に詳細に説明するラッチ組立体と相互接続されたボタン３８を備える。
【００１５】
次に図２を参照すると、ラッチ組立体の一実施形態例は、全体として４２により図示されており、鋼鉄等、任意の適切な強固且つ頑丈な材料を含む。ラッチ組立体４２は、ロックアウト作動器４４と、ロックアウトレバー４６と、リセット作動器４８と、リセットレバー５０とを備える。
【００１６】
ロックアウト作動器４４及びリセット作動器４８は、例えば、以下に更に詳細に説明するソレノイドコイル５２、５４（図６参照）の通電に応答して、それぞれ移動可能である。ロックアウト作動器４４は、ロックアウト作動器コネクタ５６に留め具６０を介して接続され得ると共に、ロックアウトトリップロッド５７に接続され得る。リセット作動器４８は、リセット作動器コネクタ５８に留め具６２を介して接続され得る。ロックアウト作動器コネクタ５６は、大直径の頭部６６を含む作動器コネクタピン６４を備える。
【００１７】
更に図３を参照するとロックアウトレバー４６は、アーム部６８と作用部７０とを備える。アーム部６９は、作動器コネクタピン６４が通過して延びる細長いスロット７２と、ロックアウトレバー４６とリセットレバー５０との間の不適切な係合を防止するためのストップローラ７４とを備える。
【００１８】
作用部７０は、ハブ部７６と指部７８とを備える。ハブ部７６は、ロックアウトレバーピン８２が通過して延びるアパーチャ８０を備える。
【００１９】
ロックアウトレバーピン８２は、フレーム１２の後板２６に接続され、ロックアウトレバー４６の旋回運動を可能にする働きをする。指部７８は、以下に説明するようにリセットレバー５０と係合するように構成されたローラ８４を備える。
【００２０】
次に図４を参照すると、リセット作動器コネクタ５８は、後板２６のガイドスロット８８内へ延び且つリセットレバー５０の脚部９２の末端部９０に接触して配置されたタブ部８６を備える。次に図３及び図７を参照すると、脚部９２は、手動リセットレバー１００の延長部９８により係合可能となるように構成されたタブ９６（図３）と共に状態スイッチ９５（図７）を作動させる働きをする調整ピン９４を備える。状態スイッチ９５は、調整ピンにより移動可能な状態スイッチレバー９９を備え、以下に説明する図６の概略図に図示される。
【００２１】
手動リセットレバー１００は、支持板１０２にピン１０４を介して回転可能に接続され且つバネ１０５により付勢され得る。手動リセットレバー１００は、延長部９８と共に、受け座１０６を備える。受け座１０６は、手動リセットボタン３８（図１）に相互接続された作動部（図示無し）と係合するように構成し得る。
【００２２】
リセットレバー５０の脚部９２からは、ヒール１１０及びトウ１１２を備える足部１０８が延びる。ヒール１１０は、ピン１１６が通過して延びるアパーチャ１１４を備え、その一方の端部において停止部１２０と係合するバネ１１８により、間隔を開けて付勢される。
【００２３】
次に図５を参照すると、トウ１１２は、ロックアウトレバー４６のローラ８４に係合する機能を果たすガイド部１２２を備える。ガイド部１２２は、以下に更に詳細に説明するように、リセットレバー５０を移動させずに、ロックアウトレバー４６の移動を防止する機能を果たす歯部１２４を備える。
【００２４】
動作において、図４及び図５の両方を参照すると、ロックアウト作動器４４の移動時、ロックアウトレバー４６は、ピン８２を中心に矢印１２６により示す回転方向へ促され、次に、ローラ８４は、リセットレバー５０のガイド１２２に沿って歯部１２４を越えて移動される。これに応じて、バネ１１８によるピン１１６を中心とした矢印１２８の方向でのリセット作動器５０の移動により、ロックアウトレバー４６のローラ８４は、リセットレバー５０の歯部１２４に対してロックされ、これにより、ラッチ組立体が図４に示したロックアウト位置にあり且つ、リセットレバーが図４に示した矢印１３０の方向に移動されない限り、図５に示した非ロックアウト位置又はリセット位置へ移動しない状態が確保される。リセットレバー５０の移動は、ボタン３８（図１）又はリセット作動器４８の移動の何れかによる手動リセットレバー１００の移動により生じる。
【００２５】
上記の図４及び図５に示したロック組立体４２のロックアウト位置及びリセット位置に対応する図２及び図３に示したように、ロックアウトトリップロッド５７は、ロックアウト作動器４４の移動時に、図２に示したロックアウト延長位置と図３の非ロックアウト位置又はリセット位置との間で移動される。延長位置において、ロックアウトトリップロッド５７は、回路遮断器（図示無し）をトリップさせ、機能を妨げる。
【００２６】
インタラプト装置１０により使用可能なインタラプト回路は、図６において全体として１３２により図示されている。インタラプト回路１３２は、ロックアウトソレノイド５２に加えて、リセットソレノイド５４及び状態スイッチ９５と、電源１３４と、プロセッサ１３６と、ロックアウトスイッチ１３８と、リセットスイッチ１４０と、状態回路１４２とを備える。ロックアウトスイッチ１３８は、通常は開いているが、プロセッサ１３６からのコマンドに応答して閉鎖可能に構成し得る。ロックアウトスイッチ１３８の閉鎖時、ロックアウトソレノイド５２は、電源１３４により通電され、ロックアウト作動器４４（図５）及びロックアウトレバー４６（図５）を上述のようにロックアウト位置へ移動させる。状態スイッチ９５は、更に、ロックアウトソレノイドコイル５２の通電時にも閉鎖し、これにより、状態回路１４２がプロセッサ１３６にロックアウト位置を通知し得る。リセットスイッチ１４０は、リセットコイル５４に対するエネルギを維持する通常は閉じたスイッチにしてよい。プロセッサ１３６へのロックアウト位置の通知時、プロセッサは、スイッチ１４０を開放し、これにより、リセットコイル５４の通電を停止し、次に、リセット作動器４８及びリセットレバー５０をロックアウト位置で移動させ得る。
【００２７】
以上、本発明を現時点で最も実用的且つ好適な実施形態と見做されるものに関連させて説明してきたが、本発明は、こうした本明細書に開示された実施形態に限定されないものであることを理解されたい。寧ろ、本発明は、添付特許請求の範囲の趣旨及び範囲に含まれる様々な変形例及び等価物の全てを対象とするものである。
【図１】
0005307601.tif 000002
【図２】
0005307601.tif 000003
【図３】
0005307601.tif 000004
【図４】
0005307601.tif 000005
【図５】
0005307601.tif 000006
【図６】
0005307601.tif 000007
【図７】
0005307601.tif 000008